(57)【要約】      （修正有）【課題】目的とする植生は生育するが、雑草は生育しにくく、しかも強度も十分高い有機性廃棄物を用いたグランドカバーを提供する。【解決手段】目的植生を高密度に発芽生育させるには、発芽生育が良く早期に被植率が１００％になるように成分基準をクリアーした完熟チップ堆肥と強度材となる植繊維からなる植生促進基盤材に目的植生の種子とバインダーと速効性、及び緩効性肥料を水と共に混錬撹拌してスラリー状にし、スプレーガンなどの圧縮空気で地面に吹きつけ、乾燥させてグランドカバーを形成する。目的植生がない場合は、雑草の種子が発芽しにくい、発芽生育の阻害要因を沢山含んだ、新鮮な木質、針葉樹の樹皮（バーク）等を粉砕したものと、強度材となる植繊維から成る植生阻害基盤材を組み合わせてバインダーと共に水で混錬撹拌してスラリー状にしてスプレーガンなどの圧縮空気で吹きつけ、乾燥させてグランドカバーを形成する。【選択図】図３
2016021905.tif 000002
【特許請求の範囲】
【請求項１】
発芽生育阻害要因となる成分を基準値以下に制御した完熟チップ堆肥と、平均繊維径１〜１００μｍの綿状有機植繊と、バインダーとなる酢酸ビニルエマルジョンやセメントの混合物を、密度が１,２００kg/m3以下、層厚が４〜1２ｃｍとなるように敷設乾燥固化したグランドカバーであって、前記酢酸ビニルエマルジョンやセメントが、前記グランドカバー全体に対して乾燥時に固形分として２．０〜２０．０質量％含有されていることを特徴とするグランドカバー。
【請求項２】
極力新鮮な木質や樹皮（バーク）粉砕物と、平均繊維径１〜１００μｍの綿状有機植繊と、バインダーとなる酢酸ビニルエマルジョンやセメントの混合物を、密度が１,４００kg/m3以下、層厚が４〜1２ｃｍとなるように敷設乾燥固化したグランドカバーであって、前記酢酸ビニルエマルジョンやセメントが、前記グランドカバー全体に対して乾燥時に固形分として２．０〜６０．０質量％含有されていることを特徴とするグランドカバー。
【請求項３】
速効性及び緩効性の肥料、及び植生したい木本類及び草本類の種子及び炭から選ばれた少なくとも一種を含有させた請求項１記載のグランドカバー。
【発明の詳細な説明】
【技術分野】
【０００１】
地面を様々な用途に使用するために、様々な表面加工を行う。
例えば自動車を走らせる車道を作るときは、表面の舗装を行う前にまず表面荷重を支えるための路盤を作る。
【０００２】
球技を行う球場では、水はけや表面の重さを支える路盤を作成し、その上に、スパイクが刺さりながら程よくスライディングが出来、且つ転倒しても怪我をしない程度に柔らかい人工芝や、競技の種類によっては芝を貼ったりゴルフ場のようにある種の草を生やしたりする。
【０００３】
地面は、目的に応じて様々な機能を要求される。
そして、それらの要求に応じて様々に加工される。
【０００４】
山に植林をして、治山治水のための緑化を行う。
【０００５】
さらに、道路や河川堤防を作るときに、盛土や切り土をして傾坂地（「図１」以下、「法面」という。）を作るが、この法面の侵食や崩落を防止するために木本や、草本類等の植生を行う。（以下これらの意図した植生を、「目的植生」という。）
【０００６】
例えば、公園や庭園、道路の中央分離帯の植栽や街路樹等、適度な緑を要求されるので様々な植生を行う。
【０００７】
また、人が歩行をする場所などは、極力目的植生以外に無駄な植物（以下、「雑草」という。）が生えるのを防止する。
【０００８】
これらの目的植生の根本の周囲にも、植えた後雑草が生え、放置しておくとせっかく生えた植生が１〜２年で雑草、特に蔓性の雑草に負けて枯れてしまうため、定期的に雑草の刈り取りを行なわなければならない。
【０００９】
しかしながら、雑草の刈り取りは重労働であり、昨今の人手不足や、林業従事者の老齢化のために、十分には行ないにくくなっている。
【００１０】
さらに、山林や、道路、河川堤の法面は、平らな地面ではないので刃物を扱うには危険が伴う。
【００１１】
道路の中央分離帯に植えた植栽や街路樹のそばの雑草の刈り取りは、近年の交通量の増加にともなって、だんだん危険になり、しかも自動車の排ガスを吸いながらの作業になるので健康面においても問題があるため、作業が滞りがちになる。
【背景技術】
【００１２】
このため、植生の根本の周囲に各種のマットやシートを敷いて（以下、「グランドカバー」という。）、雑草の成育を防止するなど、雑草の刈り取り作業の必要を減らすために種々の試みがなされている。
【００１３】
このような目的で使用されるグランドカバーとしては、例えば、藁、古い畳、マニラ麻、ヤシなどの植物繊維からなるものが、古くから用いられている。また、ベニア板、プラスチックシート、ボール紙なども用いられており、この場合、透水性を付与するため、シートに穴を開けたものも知られている。
【００１４】
更にまた、実開昭５１?１４６２５５号には、無機質ウールマットで形成した苗木育成助成盤が提案されており、上記マットに苗木を挿入するための透孔及び切り溝を設け、苗木の周囲を囲むようにマットを敷いて、雑草の成育を防止するようにしている。
【先行技術文献】
【特許文献】
【００１５】
【特許文献１】実開昭５１?１４６２５５号
【００１６】
【特許文献２】特開２００２−３００８１２号
【非特許文献】
【００１７】
【非特許文献１】国土交通省関東地方整備局企画部  平成１８年１０月発表  「類似技術試験施工調査結果の公表について」
【発明の概要】
【発明が解決しようとする課題】
【００１８】
しかしながら、古い畳、藁などの植物繊維を利用したグランドカバーでは、腐敗して吸水率が高くなったり、雨や積雪等の影響で次第に厚さが薄くなったりするため、その効果がせいぜい１〜２年しか持続せず、その後は、飛来した雑草の種子が芽を出すようになってしまうという問題があった。
【００１９】
また、ベニア板などは、植生の根本の周囲を覆うときに、土表面を平坦にならす必要がある上、被覆面積が大きい場合には、板が大型になるため、重くなって、人力や機械が必要となるという問題があった。
【００２０】
また、プラスチックの穴の開いたシートなどは、透水性を有するものの、その穴から雑草の芽が出てきてしまうため、効果が薄く、プラスチックであるが故に腐敗して消滅することがないため、後始末が困難であるという問題があった。
【００２１】
更に、ボール紙は、濡れると強度が落ち、また、降雪があると雪の重みで破れてしまうこともあるため、雑草の成育防止効果は、１〜２年しか持続できず、寿命が短いという問題があった。
【００２２】
一方、実開昭５１?１４６２５５号に開示された無機質ウールマットで形成した苗木育成助成盤は、雑草成育防止効果や透水性などを確実に得るための無機繊維マットを使用しているため腐食せずいつまでも残ってしまう。
【００２３】
また、敷設場所に、潅木や小枝等が成育している場合などは、マットに切込みを入れるなど、複雑な作業が必要であったし、風で吹き飛ばされないようにネットなどを使って固定する必要があった。
【００２４】
一方、グランドカバーを用いることなく、除草剤を散布して雑草の成育を防止することも行われているが、除草剤は有効期間が短く、雑草に対して効果があるだけでなく、他の植生にとっても有害な場合が多く、公園等幼児が利用する施設では利用が禁止されており、道路の中央分離帯や街路樹に用いる場合には、通行する人間に害があり、更に散布の際に通行する自動車を汚してしまうという問題があった。
【００２５】
他方では、雑草の刈り取りで出来た刈り草は植物の繊維はかなり丈夫な繊維質なので、さらに細かく刻んで堆肥をつくるときに発酵させたり（堆肥化）、運搬して焼却したりして処分していた。
【００２６】
同じように、森林や竹林の間伐などで出てきた間伐材についても、工芸品など様々な用途に使えるものは加工するものの、植生の発芽生育の妨げとなる木質を含む有機性廃棄物（間伐材、特に針葉樹の樹皮など）は、加工することなく自然界に放置すると他の植生の妨げとなるので堆肥化するために、かなりの手間（エアレーションや切り替えし等）と時間（完熟と言われる状態に仕上げるためには、早くとも４〜５ヶ月）を掛けて発酵副資材として活用する他の多くは、運搬して焼却処分していた。
【００２７】
いずれにしても、多くの部分は活用されることなく手間と費用をかけて処分していたのである。
【００２８】
出来得れば、なまじ強い繊維を持っているだけに、不要物として徐魔物扱いされている刈り草や間伐材などの有機性廃棄物も有効利用する手立てはないかと思案していた。
【００２９】
本発明は、今までは邪魔者にされていたこれら有機性廃棄物で地面を覆い、これら要求される多様な機能のうちの１形態である植生制御機能をこのカバーに持たせることは出来ないかという点にある。
【００３０】
本発明は上記問題点に鑑みてなされたもので、その目的は、雑草の成育防止効果を長期間に亙って十分に維持することができ、敷設場所の形状が複雑でも隙間を生じることなく地面にフィットさせて、容易に敷設することができ、後始末の必要もないグランドカバー及びそれを用いた植生生育制御方法を提供することにある。
【００３１】
本発明は、目的植生は生育し雑草は生育しにくい、しかも強度も十分高い有機性廃棄物を用いたグランドカバーを実現することにある。
【課題を解決するための手段】
【００３２】
つまり、グランドカバーの母材に植生の発芽生育を促す特性を持つ物（以下、「植生促進基盤材」という。）と、植生の発芽生育を阻害する特性を持つ物（以下、「植生阻害基盤材」という。）の２種類を意図的に作り、これを目的植生及び雑草の制御に役立てようとするものである。
【００３３】
植生促進グランドカバーを作るのには、特開２００２−３００８１２のように、食品残渣や畜糞などを、大鋸屑やバークなどの発酵副資材と共に、８０℃以上の高温での好気性発酵と嫌気性発酵を経て、乾物換算で炭素３０質量％以下、窒素3質量％以下、炭素率（C／N）２０以下、水溶性フェノール3ｍM以下、還元糖割合２０％以下となるように加工したほぼ１００％有機性廃棄物から出来た、完熟コンポスト（以下、単に「完熟コンポスト」という。）の内、有機性廃棄物発酵時の副資材として樹皮（バーク）を用いず、木質チップのみを用いたもの（以下、「完熟チップ堆肥」という。）を２０質量％以上や炭などと共に、平均繊維径１〜１００μｍで引っ張り強度が高い綿状植繊維（生竹や熊笹、籾殻、葦やセイタカアワダチソウ等の雑草類を、綿状繊維に粉砕したもの。例えば株式会社クボタ社製「植繊機  K−B4」で処理した植物繊維等のようなもの以下、「植繊維」という。）を、バインダーとなる酢酸ビニルエマルジョンやセメントを、グランドカバー全体に対して乾燥時に固形分として２．０〜２０．０質量％となるように、混錬機で水と共に混合撹拌しスラリー状にしたものを母材（以下、「植生促進母材」という。）として層厚４．０〜１２．０ｃｍの厚みに吹き付け乾燥固化させる。
【００３４】
また、この植繊維自体も、ある程度乾燥させると炭化炉を用いて２時間程度（冷却時間を含まず。）の短時間で容易に炭化物にすることができ、安価な土壌改良剤として使用することも可能であるので、前述の植繊維はこの発明の請求項３のグランドカバーにいう炭に代わるものとしても、使うことが出来る。
【００３５】
一方、植生阻害グランドカバーは、発酵していない、水溶性フェノールや還元糖をふんだんに含んだ新鮮な木質、樹皮（バーク）（出来得れば、水溶性フェノールの含有率が高く、且つ分解時間も永い針葉樹の樹皮が望ましい。）のような植生の発芽生育阻害物質を多く含んだ材料と、引っ張り強度が高い前記植繊維をバインダーとなる酢酸ビニルエマルジョンやセメントを、グランドカバー全体に対して乾燥時に固形分として２．０〜６０．０質量％となるように、混錬機で水と共に混合撹拌しスラリー状にしたものを母材（以下、「植生阻害母材」という。）として、層厚４．０〜１２．０ｃｍの厚みに吹き付け乾燥固化させる。
【００３６】
元の地面が、極度に酸性やアルカリ性に偏っている場合の植生促進グランドカバーの敷設時は、酸性のときは石灰や石灰セメント等、アルカリ性のときは石膏等のPH調整物をこの混錬過程において適量混合しておく。
【００３７】
請求項３のように植生の種子を混入して、グランドカバーを敷設する際には植生が酸性を好むか、アルカリ性を好むかによって酢酸ビニルエマルジョンとセメントの配合割合を調整することも考慮する必要がある。
【００３８】
また、傾斜が強い法面や凹凸の激しい場所に敷設するグランドカバーの敷設においては、吹き付け時の崩落防止のためのアングルラスなどを予め法面に敷設固定しておく。
【発明の効果】
【００３９】
本発明のグランドカバーは、目的植生の根本の周囲の土の表面に直接敷設固化して形成されるため、マットよりも更に地面にフィットさせることができ、隙間が生じにくく、小灌木や小枝等が成育している場合などにも、切込みを入れるなどの煩雑で、複雑な作業も必要なく、更に、風で吹き飛ばされないようにネットなどを使って固定する必要もない。
【００４０】
また、山林や法面緑化時は、苗床で苗を育てるのでなく、地山に厚層吹付けする直接植生促進基盤材中に木本類を含む目的植生を播種して行うので、種子から最初に出る根（主根）から分泌される根酸が植生の根が岩に当たった時も岩を溶かして根を張るので、耐崩落性、耐侵食性が高い植生のグランドカバーが形成できる。
【００４１】
本発明の植生促進グランドカバーは、目的植生の種子が発芽生育阻害要因を含まない完熟チップ堆肥、及び速効性肥料、緩効性肥料、水に触れて敷設されているので，発芽生育が早く、雑草の種子が飛来して発芽する以前に、目的植生の被植率が１００％に達してしまい雑草が発芽できない。
【００４２】
植生促進グランドカバーは、土中にしっかり根を張っているグランドカバーで、無論緑のカーテンであるので、日照りや乾燥から地面を守り、且つ十分な透水性と同時に十分な保水性と保温性を持っている。
【００４３】
有機繊維でできたグランドカバーは、吹き付け乾燥固化した当初は、引っ張り強度が十分ある植繊維がバインダーでつながれているので、カバーとしての強度は十分であるが、目的を達成すれば適当な期間で朽ち果て、後始末の必要がない。
【００４４】
その上、植生促進グランドカバーは前述のように目的植生が完全に根を張っているので、斜面、法面の耐侵食性、耐崩落性が高い状態を永く維持できる。
【００４５】
一方、植生阻害グランドカバーは、天然の発芽生育阻害物質である、水溶性フェノールや還元糖を大量に含んでいるので、雑草の進入が困難である。
【図面の簡単な説明】
【００４６】
【図１】地山を削り（切り土して）、盛土して、道路を作ったときの断面図である。（技術分野の項、段落番号０００5の「法面」を示す。）この場合路面以外は、植生促進グランドカバーを施す。
【図２】地山を削り（切り土して）（左）、盛土して（右）道路と堤防を作ったときの河川の断面図である。路面と堤防の上の平らな部分（以下、「天端」という。）以外は、植生促進グランドカバーを、路面及び天端は必要に応じて舗装または植生阻害グランドカバーを施す。
【図３】木本類植生（この場合は、最初に苗床で育てた苗を移植して活着後）の周りに緑がほしいとき、植生促進母材に草本類等の種子を混ぜて、グランドカバーとしたときの図。
【図４】木本類植生（この場合は、最初に苗床で育てた苗を移植して活着後）の周りに緑が必要ないとき、周りを植生阻害グランドカバーとして敷設したときの図。
【発明を実施するための形態】
【実施例１】
【００４７】
目的植生が、森林や、法面などのように木本類と草本類が、一定の割合で、混在して生やしたいときは、植生させたい木本類と共に丈が低く且つ窒素の消耗を伴いにくい根瘤バクテリアと共生することが出来るマメ科の木本類（例えば、萩類や、こまつなぎ等）や草本類（例えば、クローバー、豆類など）（以下これら空中窒素を固定する能力を持つ木本、草本類を、「根瘤植物」という。）と、背丈が低く且つひげ根が密集しやすいイネ科植物（目的に応じて芝やベント、バミューダグラスなど、以下「イネ科植物」という。）の種子（発芽すると地面の被植率が１００％となる十分な分量以上）と、速効性肥料や緩効性肥料を植生促進母材の混練時に配合撹拌してスラリー状にしてスプレーガンなどの圧縮空気で吹きつけ、乾燥固化させてグランドカバーを形成し高密度に発芽させる。
【実施例２】
【００４８】
目的植生が公園の樹木や、街路樹のような木本類で、植生する場所が限定される場合は、目的植生を苗として、発芽育成したものを移植活着した後、若しくは木本類だけを目的植生とした、第一次グランドカバー敷設を行って活着した後、以下の２つの方法のうちどちらかを選択して行う。
【００４９】
1.  木本類の周りにも、緑がほしいときは、
植生促進基盤材に、根瘤植物のうちの草本類と、イネ科植物を新たな目的植生としてこれらの種子（発芽すると地面の被植率が１００％となる十分な分量以上）、及び速効性肥料、緩効性肥料を基盤材混錬時に配合撹拌してスプレーガンなどの圧縮空気で吹きつけ、乾燥固化させてグランドカバーを形成し高密度に発芽させる。
【００５０】
2.木本類の周りに緑がほしくないときは、
植生阻害基盤材を、植生の種子や肥料を含まないスラリー状態で、同様にスプレーガンなどの圧縮空気で吹きつけ、乾燥固化させて植生阻害グランドカバーを敷設する。
【実施例３】
【００５１】
歩道等の舗装時は、前記2.の植生阻害基盤材のバインダー量を1.5〜3.0倍増にして基盤材混錬時に混合撹拌して、同様に吹き付けて乾燥固化させ、硬度が高い植生阻害基盤材を敷設し、植生阻害グランドカバーとする。
【実施例４】
【００５２】
本発明の植生促進グランドカバー中の完熟チップ堆肥は、先行技術文献「非特許文献１」（国土交通省関東地方整備局企画部平成１８年１０月発表）  「類似技術試験施工調査結果の公表について」中に示されている「リサイクル材を利用したのり面緑化技術の調査結果（施工後3.0 年の調査結果）表Ｎｏ．８工区の欄に示された植生基盤材そのものであり、施工３年後には吹き付け時には約３分の１を占めていた根があまり強くないシロクローバーが当初の目的植生の発芽率が高いため、目的植生同士の自然淘汰で、全くなくなっており。且つ播種した以外の植生は、全く見当たらず、木本類の進入も皆無である。
【００５３】
発芽生育阻害要因である、水溶性フェノールや、還元糖が規定値以下に制御された材料で出来た母材に播種したグランドカバーでは、目的植生の毛根が密であるために飛来植物の種子も３年間発芽できなかったのが見て取れる。
【実施例５】
【００５４】
一方、植生阻害グランドカバーは、古くからある神社の屋根が桧の皮で葺かれ（桧皮葺）ており、長い年月を経ても雑草が生えにくく、腐食しにくいことは、周知の通りであり、自然界に存在する物質でもあるので、環境破壊を起こしにくい。
【産業上の利用可能性】
【００５５】
本発明中、請求項１の植生促進グランドカバーを敷設する際に、速効性肥料、緩効性肥料のみを混合撹拌して吹きつけると外来種でない、土着植物が生えやすいグランドカバーを作ることが出来る。
【００５６】
本発明中、請求項２の植生阻害グランドカバーを吹き付け敷設すると、雑草が生えにくい歩道や空き地を作ることが出来る。
【００５７】
本発明中、請求項3の植生生育グランドカバーを、吹付け生育させることで、目的植生が密集し、雑草が発芽生育しにくい治山治水や、法面緑化が可能になる。
【符号の説明】
【００５８】
Ａ  法面
Ｂ  路面
Ｃ  天端
Ｄ  植生促進グランドカバー
Ｅ  植生阻害グランドカバー
Ｆ  木本類
Ｇ  草本類
【図１】
2016021905.tif 000003
【図２】
2016021905.tif 000004
【図３】
2016021905.tif 000005
【図４】
2016021905.tif 000006